(57)【特許請求の範囲】
【請求項１】
金型配置の初期状態を示す初期状態金型配置情報を保持した状態で、この初期状態金型配置情報に対して使用金型情報に示される使用金型について金型配置割付を開始して現行状態金型配置情報を作成すると共に、この現行状態金型配置情報を保持し、この現行状態金型配置情報の金型配置に対して金型の割付を行うものであり、
現行状態金型配置情報の金型配置に対して金型の割付を行う際に、前記現行状態金型配置情報による現状の金型配置における対象オートインデックスステーション内に対象非オートインデックス金型と同形状の金型が存在するか否かを判断し、同形状の金型が存在する場合には統一変換を実行することを特徴とする加工機における金型配置方法。
【請求項２】
金型配置の初期状態を示す初期状態金型配置情報を保持した状態で、この初期状態金型配置情報に対して使用金型情報に示される使用金型について金型配置割付を開始して現行状態金型配置情報を作成すると共に、この現行状態金型配置情報を保持し、この現行状態金型配置情報の金型配置に対して金型の割付を行うものであり、
現行状態金型配置情報の金型配置に対して金型の割付を行う際に、前記現行状態金型配置情報による現状の金型配置における対象オートインデックスステーション内に対象非オートインデックス金型と同形状の金型が存在するか否かを判断し、同形状の金型が存在しない場合には通常変換により対象非オートインデックス金型を対象オートインデックスステーションに割り付けた後に、統一変換を実行することを特徴とする加工機における金型配置方法。
【請求項３】
金型の割付が、前記使用金型である複数の非オートインデックス金型を現行状態金型配置情報におけるオートインデックス金型に割り付けるものであることを特徴とする請求項１または請求項２記載の加工機における金型配置方法。
【発明の詳細な説明】
【０００１】
【発明の属する技術分野】
この発明は、機種変換時に複数の非オートインデックス金型をオートインデックスステーションへ統一変換するための加工機における金型配置方法に関するものである。
【０００２】
【従来の技術】
図１５を参照するに、従来より、非オートインデックス（以後、オートインデックスを「ＡＩ」で示す。）金型をＡＩステーションに統一変換する場合には、以下のようにして行われている。
【０００３】
すなわち、対話処理により使用する金型の金型配置割付を開始すると（ステップＳ１０１）、割り付けされていない金型の一括割付か否かを判断し（ステップＳ１０２）、一括割付でない場合には個々の金型の割付を行い（ステップＳ１０３）、非ＡＩ金型のＡＩ統一変換は行わない。
【０００４】
一方、ステップＳ１０２において割り付けされていない金型の一括割付であると判断された場合には、対話処理により非ＡＩ金型のＡＩ統一変換を開始する（ステップＳ１０４）。
【０００５】
まず、使用金型から統一変換の対象となる非ＡＩ金型の洗い出しを行う（ステップＳ１０５）。すなわち、統一変換対象非ＡＩ金型の割付の有無を判定して（ステップＳ１０６）、割付が無く対象非ＡＩ金型が変換初期状態にあると判定された場合には、金型配置の統一変対象ＡＩステーションの洗い出しを行う（ステップＳ１０７）。
【０００６】
すなわち、以下の両条件が満足されるか否かを判断する（ステップＳ１０８）。▲１▼変換初期状態において、対象ＡＩステーション内に対象非ＡＩ金型と同形状の金型が存在すること。▲２▼対象ＡＩステーションに使用金型が割り付けられておらず、初期状態にあること。
【０００７】
そして、上記両条件が共に満足されている場合には、非ＡＩ金型のＡＩ統一変換を実行して（ステップＳ１０９）、対話処理による非ＡＩ金型のＡＩ統一変換を終了する（ステップＳ１１０）。また、ステップＳ１０８の条件をクリアしないときは、ＡＩ統一変換を実行せずに終了する。
【０００８】
次に、具体的なケースについて説明する。
＜ケース１＞
図１６（Ａ）（Ｂ）および図１７を参照して、４本の非ＡＩ使用金型（図１６（Ａ）中Ｎｏ．１〜Ｎｏ．４）を変換先金型配置（図１６（Ｂ）参照）のＡＩステーションに統一変換する場合について説明する。ここで、図１６（Ａ）は実行前における使用金型の一覧表であり、図１６（Ｂ）は実行前における変換先の割付前の金型配置を示す一覧表である。また、図１７は、実行後における変換先の金型配置を示す一覧表であり、一括変換をしたときの割付後を示している。
【０００９】
前述の図１５のフローチャートに従って、使用金型の金型配置割付を開始し（ステップＳ１０１）、一括割付であるため（ステップＳ１０２）、ＡＩ統一変換を開始する（ステップＳ１０４）。使用金型の統一変換対象非ＡＩ金型として、図１６（Ａ）の金型Ｎｏ．１〜Ｎｏ．４の金型が洗い出しされ（ステップＳ１０５）、図１６（Ｂ）に示されているように、これらの金型に割付が無いため（ステップＳ１０６）、変換先金型配置の統一変換対象ＡＩステーションを洗い出しを行う（ステップＳ１０７）。
【００１０】
すなわち、図１６（Ｂ）に示されているように、ステーションＮｏ．１（Ｔ番号２０１）には、同形状の金型が存在してステップＳ１０８の条件をクリアするのでＡＩ統一変換が実行され（ステップＳ１０９）、図１７に示されているように、うまくＡＩ統一変換されて変換前には６本の使用金型が、変換後は３本となっている。なお、使用金型Ｎｏ．５、Ｎｏ．６の使用金型が、変換先金型配置Ｎｏ．１のＴ番号２０１以外に割り付けてあっても統一変換はうまく行われる。
【００１１】
＜ケース２＞
図１８〜図２０を参照して、４本の非ＡＩ使用金型（図１８（Ａ）においてＮｏ．１〜Ｎｏ．４）のうちの１本（図１８（Ａ）においてＮｏ．１）を、図１８（Ｂ）に示されている変換先金型配置のＡＩステーションに割り付けた後に、統一変換を行おうとする場合について説明する。
【００１２】
前述の図１５のフローチャートに従って、使用金型の金型配置割付を開始し（ステップＳ１０１）、図１９（Ａ）（Ｂ）に示されているように、まず１本の非ＡＩ使用金型を変換先金型配置のＡＩステーションに割り付ける（ステップＳ１０３）。
【００１３】
その後一括割付を選択して（ステップＳ１０２）、対話処理により非ＡＩ金型のＡＩ統一変換を開始する（ステップＳ１０４）。使用金型の統一変換対象非ＡＩ金型として、図１８（Ａ）の金型Ｎｏ．２〜Ｎｏ．４の金型が洗い出しされ（ステップＳ１０５）、これらの金型に割付が無いことを確認して（ステップＳ１０６）、変換先金型配置の統一変換対象ＡＩステーションを洗い出しを行う（ステップＳ１０７）。
【００１４】
図１８（Ｂ）に示されているように、ステーションＮｏ．１（Ｔ番号２０１）には、先に使用金型Ｎｏ．１が配置されており、図１５におけるステップＳ１０８の条件をクリアできないため、図２０に示されているように、全ての使用金型が個々に割り付けられており、統一変換は失敗している（図２０中金型配置Ｎｏ．６〜Ｎｏ．１０参照）。
【００１５】
これは、▲１▼変換対象非ＡＩ金型が既に割り付いていたこと（図１５におけるステップＳ１０６において割付有りと判定される。）、▲２▼ＡＩステーションの金型に既に金型が割り付いていたため対象が初期状態と異なる状況に置かれていること（図１５におけるステップＳ１０８の条件をクリアできない。）、の２つの理由によるものである。なお、▲１▼においては、使用金型Ｎｏ．１〜Ｎｏ．４を別の場所に割り付けても残りの金型は統一されない。
【００１６】
＜ケース３＞
図２１（Ａ）（Ｂ）および図２２を参照して、変換先金型配置のＡＩステーションに統一対象の金型が存在しないときに統一変換を行おうとする場合について説明する。
【００１７】
前述の場合と同様にして、図１５のフローチャートに従って、使用金型の金型配置割付を開始し（ステップＳ１０１）、ステップＳ１０２において一括割付を選択して、対話処理により非ＡＩ金型のＡＩ統一変換を開始する（ステップＳ１０４）。
【００１８】
まず、使用金型の統一変換対象非ＡＩ金型として、図２１（Ａ）の金型Ｎｏ．１〜Ｎｏ．４の金型が洗い出しされ（ステップＳ１０５）、これらの金型に割付が無いことを判定して（ステップＳ１０６）、変換先金型配置の統一変換対象ＡＩステーションを洗い出す（ステップＳ１０７）。
【００１９】
ここで、図２１（Ｂ）に示されているように、変換先金型配置のＡＩステーションには、統一対象非ＡＩ金型と同形状の金型が存在しないため、図１５におけるステップＳ１０８の条件がクリアされない。このため図２２に示されているように、一括変換実行後の変換先金型配置では、統一変換は行われず全ての使用金型が個々に割り付けられている。なお、図２１（Ａ）の使用金型Ｎｏ．１〜Ｎｏ．４を変換先金型配置Ｎｏ．１（Ｔ番号２０１）に割り付けても残りの金型は統一されない。
【００２０】
＜ケース４＞
実行前を示す図２３（Ａ）（Ｂ）、実行途中を示す図２４（Ａ）（Ｂ）、および実行中を示す図２５（Ａ）（Ｂ）を参照して、図２３（Ａ）に示されている実行前の使用金型について個々に統一変換を行おうとする場合について説明する。
【００２１】
この場合には、図１５のフローチャートのステップＳ１０２において、一括割付でないと判断されて、個々の金型の割付を行い、非ＡＩ金型のＡＩ統一変換は行わない。このため、図２４（Ａ）の非ＡＩ使用金型（金型Ｎｏ．１〜Ｎｏ．４）の１本（ここでは金型Ｎｏ．１）を、図２４（Ｂ）の変換先金型配置のＡＩステーション（金型配置Ｎｏ．１）に割り付ける。
【００２２】
そして、図２５（Ａ）を参照するに、残りの非ＡＩ使用金型（図２３（Ａ）において使用金型Ｎｏ．２〜Ｎｏ．４）のうち次の１本（ここでは使用金型Ｎｏ．２）を変換先金型配置のＡＩステーションに割り付けると、一括割付でないため図２５（Ｂ）に示されているように、再度１本のみ割付が行われて統一変換は行われない。これは、使用金型Ｎｏ．３、Ｎｏ．４についても同様の結果となる。
【００２３】
以上説明したように、▲１▼変換元に加工角度を除く同形状の金型が複数存在し、かつ、▲２▼変換先のＡＩステーションに変換対象と加工角度を除く同形状の金型が存在したうえ、さらに、▲３▼変換先のＡＩステーションにＴ番号変換された金型が１本も割り付いていないという条件が揃っている状態で、自動変換を実行したときにのみ統一変換が行われる。
【００２４】
これは、対象金型がそれぞれ初期状態に置かれている状態で、プログラミングによる自動変換が実行されたときに行われる特殊変換であり、初期状態の金型配置に対して変換を行う構造を使用しているといえる。
【００２５】
【発明が解決しようとする課題】
しかしながら、前述したケース２〜ケース４においては、以下のような問題点が挙げられる。
▲１▼初期状態の金型配置に対して変換を行うため、変換元対象金型の１本が変換先対象のＡＩステーション金型に割りつくと変換が不可能になる。
▲２▼初期状態の金型配置に対して自動変換で作業を行うため、変換元対象金型のすべてが１本に割りついてしまい、統一可否の金型が存在してもそれを反映させることができない。
▲３▼初期状態の金型配置に対して変換を行うため、変換元に加工角度を除く同形状の金型が複数存在するときでも、金型配置に対象金型が存在しなければ統一変換（タレット生成）は行われない。
【００２６】
この発明の目的は、以上のような従来の技術の問題点に着目してなされたものであり、使用者の意思を反映して柔軟な金型配置を行うことのできる加工機における金型配置方法を提供することにある。
【００２７】
【課題を解決するための手段】
上記の目的を達成するために、請求項１による発明の加工機における金型配置方法は、金型配置の初期状態を示す初期状態金型配置情報を保持した状態で、この初期状態金型配置情報に対して使用金型情報に示される使用金型について金型配置割付を開始して現行状態金型配置情報を作成すると共に、この現行状態金型配置情報を保持し、この現行状態金型配置情報の金型配置に対して金型の割付を行うものであり、
現行状態金型配置情報の金型配置に対して金型の割付を行う際に、前記現行状態金型配置情報による現状の金型配置における対象オートインデックスステーション内に対象非オートインデックス金型と同形状の金型が存在するか否かを判断し、同形状の金型が存在する場合には統一変換を実行することを特徴とする。
【００２８】
従って、金型配置の初期状態を示す初期状態金型配置情報を保持しているので、いつでも容易に初期状態の金型配置に戻ることができる。また、初期状態金型配置情報による初期状態の金型配置に対して、使用金型情報の使用金型を割り付けて現行状態の金型配置を示す現行状態金型配置情報を作成して保持し、この現行状態の金型配置に対して金型の割付を行う。
さらに、非オートインデックス金型を割り付ける現行状態金型配置情報における対象オートインデックスステーション内に、割り付ける非オートインデックス金型と同形状の金型が存在する場合にのみ統一変換を実行する。
【００２９】
請求項２による発明の加工機における金型配置方法は、金型配置の初期状態を示す初期状態金型配置情報を保持した状態で、この初期状態金型配置情報に対して使用金型情報に示される使用金型について金型配置割付を開始して現行状態金型配置情報を作成すると共に、この現行状態金型配置情報を保持し、この現行状態金型配置情報の金型配置に対して金型の割付を行うものであり、
現行状態金型配置情報の金型配置に対して金型の割付を行う際に、前記現行状態金型配置情報による現状の金型配置における対象オートインデックスステーション内に対象非オートインデックス金型と同形状の金型が存在するか否かを判断し、同形状の金型が存在しない場合には通常変換により対象非オートインデックス金型を対象オートインデックスステーションに割り付けた後に、統一変換を実行することを特徴とする加工機における金型配置方法。
【００３０】
従って、金型配置の初期状態を示す初期状態金型配置情報を保持しているので、いつでも容易に初期状態の金型配置に戻ることができる。また、初期状態金型配置情報による初期状態の金型配置に対して、使用金型情報の使用金型を割り付けて現行状態の金型配置を示す現行状態金型配置情報を作成して保持し、この現行状態の金型配置に対して金型の割付を行う。
さらに、非オートインデックス金型を割り付ける現行状態金型配置情報における対象オートインデックスステーション内に割り付ける非オートインデックス金型と同形状の金型が存在しない場合には、まず通常変換により対象非オートインデックス金型を対象オートインデックスステーションに割り付けてから、統一変換を実行する。
【００３１】
請求項３による発明の加工機における金型配置方法は、請求項１または２記載の加工機における金型配置方法において、金型の割付が、前記使用金型である複数の非オートインデックス金型を現行状態金型配置情報におけるオートインデックス金型に割り付けるものである。
【００３２】
従って、使用金型情報の複数の非オートインデックス金型を、現行状態金型配置情報のオートインデックス金型に割り付けて、これを現行状態金型配置情報として次々に使用金型情報の非オートインデックス金型の割付を行う。
【００３５】
【発明の実施の形態】
以下、この発明の実施の形態を図面に基づいて詳細に説明する。図２を参照するに、この発明に係る加工機における金型配置方法では、使用金型情報１、初期状態金型配置情報３、および現行状態金型配置情報５を有している。
【００３６】
前記使用金型情報１は使用金型情報の記録であり、この情報を基にして現行状態金型配置へ機種変換を行う。また、初期状態金型配置情報３は金型配置の初期状態の記録であり、変換を始めるために使用されると共に、変換を途中で解除したときに元の状態に戻すために使用される。また、現行状態金型配置情報５は現行状態の金型配置の記録であり、この情報に対して金型の割付を行っていく。
【００３７】
次に、図１に基づいて、この発明に係る加工機における金型配置方法について説明する。対話処理により初期状態金型配置情報３に対して使用金型情報１の使用金型の金型配置割付を開始して現行状態金型配置情報５を作成し（ステップＳ１）、この現行状態金型配置情報５による現状の金型配置において対象ＡＩステーション内に対象非ＡＩ金型と同形状の金型が存在するか否かを判断し（ステップＳ２）、同形状の金型が存在しない場合には、統一変換を行わずに通常の変換を実行する（ステップＳ３）。
【００３８】
一方、ステップＳ２において、同形状の金型が存在すると判断された場合には、非ＡＩ金型のＡＩ統一変換を実行して（ステップＳ４）、対話処理による非ＡＩ金型のＡＩ統一変換を終了する（ステップＳ５）。
【００３９】
次に、図１のフローチャートに従った具体例について説明する。
＜ケース１＞
図３（Ａ）（Ｂ）および図４を参照して、４本の非ＡＩ使用金型（Ｎｏ．１〜Ｎｏ．４）を変換先金型配置のＡＩステーションに統一変換する場合について説明する。
【００４０】
ここで、図３（Ａ）は実行前における使用金型の一覧表であり、図３（Ｂ）は実行前における変換先の割付前の金型配置を示す一覧表である。また、図４は、実行後における変換先の金型配置を示す一覧表であり、一括変換をしたときの割付後を示している。
【００４１】
図１を併せて参照するに、このケースでは、金型配置割付を開始し（ステップＳ１）、図３（Ｂ）に示されているように、現状の金型配置において対象ＡＩステーション（図３（Ｂ）中金型配置Ｎｏ．１）内に対象非ＡＩ金型である図３（Ａ）における使用金型Ｎｏ．１〜Ｎｏ．４と同形状の金型が存在するのでステップＳ２の条件を満たし、非ＡＩ金型のＡＩ統一変換を実行する（ステップＳ４）。
【００４２】
その結果、４本の非ＡＩ金型が、図４に示されている変換先の金型配置において金型配置Ｎｏ．１（Ｔ番号２０１）のＡＩステーションにある金型１本に全て割り付けられてうまく統一変換されている。
【００４３】
そして、図３（Ａ）における使用金型Ｎｏ．５およびＮｏ．６は、図４に示されている変換先の金型配置において、金型配置Ｎｏ．６（Ｔ番号１０６）、金型配置Ｎｏ．７（Ｔ番号３０７）の金型に各々割り付けられている。従って、変換前には６本の使用金型が、変換後は３本となっている。なお、使用金型Ｎｏ．５、Ｎｏ．６の使用金型が、変換先金型配置Ｎｏ．１のＴ番号２０１以外に割り付けてあっても統一変換は行われる。
【００４４】
なお、このケースについては、前述した従来技術におけるケース１で示したように、従来における金型配置方法においても、統一変換が行われている。
【００４５】
＜ケース２＞
図５〜図７を参照して、４本の非ＡＩ使用金型（図５（Ａ）においてＮｏ．１〜Ｎｏ．４）のうちの１本（図５（Ａ）においてＮｏ．１）を、図５（Ｂ）に示されている変換先金型配置のＡＩステーションに割り付けた後に、統一変換を行おうとする場合について説明する。
【００４６】
ここで、図５（Ａ）は実行前における使用金型の一覧表であり、図５（Ｂ）は実行前における変換先の割付前の金型配置を示す一覧表である。図６（Ａ）は、実行中における使用金型を示す一覧表であり、図６（Ｂ）は、実行中において使用金型１本のみ割り付けた後の変換先金型配置を示す一覧表である。また、図７は、実行後における変換先の金型配置を示す一覧表であり、一括変換をしたときの割付後を示している。
【００４７】
図１を併せて参照するに、このケースでは、最初の１本の使用金型について前述のケース１と同様にして統一変換が行われ（図６（Ｂ）参照）、その後２本目から４本目についても図１中ステップＳ２の条件を満たすので、図７に示されているように変換先の金型配置において金型配置Ｎｏ．１（Ｔ番号２０１）のＡＩステーションにある金型１本に全て割り付けられてうまく統一変換されている。
【００４８】
なお、このケースについては、従来の金型配置方法（ケース２）ではうまく統一変換されなかったが、本発明に係る加工機における金型配置方法では、対象非ＡＩ使用金型を対象ＡＩステーションの金型に割り付けても結果は変わらず、うまく統一変換されることがわかる。
【００４９】
＜ケース３＞
図８〜図１０を参照して、変換先金型配置のＡＩステーションに統一対象の金型が存在しないときに統一変換を行おうとする場合について説明する。
【００５０】
ここで、図８（Ａ）は実行前における使用金型の一覧表であり、図８（Ｂ）は実行前における変換先の割付前の金型配置を示す一覧表である。図９（Ａ）は、実行途中における使用金型を示す一覧表であり、図９（Ｂ）は、実行途中において使用金型１本のみ割り付けた後の変換先金型配置を示す一覧表である。また、図１０は、実行後における変換先の金型配置を示す一覧表であり、一括変換をしたときの割付後を示している。
【００５１】
図１を併せて参照するに、このケースでは、最初の１本の使用金型についてステップＳ２の条件を満足しないため通常変換が実行される（ステップＳ３、図９（Ａ）（Ｂ）参照）。そして、２本目から４本目の使用金型については、図１中ステップＳ２の条件を満たすので、図１０に示されているように変換先の金型配置において金型配置Ｎｏ．１（Ｔ番号２０１）のＡＩステーションにある金型１本に全て割り付けられてうまく統一変換されている。
【００５２】
なお、このケースについては、従来の金型配置方法（ケース３）ではうまく統一変換されなかったが、本発明に係る加工機における金型配置方法では、ＡＩステーションに統一変換対象非ＡＩ金型を割り付けなければ統一はされないが、割付を行えばうまく統一変換されることがわかる。
【００５３】
＜ケース４＞
図１１〜図１４を参照して、使用金型について個々に統一変換を行おうとする場合について説明する。
【００５４】
ここで、図１１（Ａ）は実行前における使用金型の一覧表であり、図１１（Ｂ）は実行前における変換先の割付前の金型配置を示す一覧表である。図１２（Ａ）は、実行途中において変換先金型配置のＡＩステーションに割り付けられる４本の非ＡＩ使用金型のうちの１本の使用金型を示す表であり、図１２（Ｂ）は、実行途中において使用金型１本のみ割り付けた後の変換先金型配置を示す一覧表である。
【００５５】
また、図１３（Ａ）は、実行途中において変換先金型配置のＡＩステーションに割り付けられる２本目の使用金型を示す表であり、図１３（Ｂ）は、実行途中において２本目の使用金型を割り付ける変換先金型配置を示す一覧表である。図１４（Ａ）は、割り付けられた２本の使用金型を示す表であり、図１４（Ｂ）は、２本の使用金型の割付実行後における変換先の金型配置を示す一覧表である。
【００５６】
図１を併せて参照するに、このケースでは、最初の１本の使用金型についてステップＳ２の条件を満足しないため通常変換が実行される（ステップＳ３、図１２（Ａ）（Ｂ）参照）。そして、２本目の使用金型については、図１中ステップＳ２の条件を満たすので、図１３（Ａ）（Ｂ）に示されているように変換先の金型配置において金型配置Ｎｏ．１（Ｔ番号２０１）のＡＩステーションにある金型に割り付けられる。３本目および４本目の使用金型についても同様に割り付けが行われ、統一変換がうまく行われる。
【００５７】
なお、このケースについては、従来の金型配置方法（ケース４）ではうまく統一変換されなかったが、本発明に係る加工機における金型配置方法では、うまく統一変換されることがわかる。
【００５８】
以上の結果から、初期状態金型配置情報３と、現行状態金型配置情報５を持つことにより変換、解除による情報の欠落が無くなり、各金型を変換させた金型配置による変換が可能になった。
【００５９】
このため、変換先対象のＡＩステーション金型に指定した複数の変換元非ＡＩ対象金型を、各個に割り付けてＡＩ統一を行うことができる。また、統一変換させたい変換元非ＡＩ対象金型を指定する変換ができる。また、変換先対象のＡＩステーションに金型が割りついていなくても、変換元非ＡＩ対象金型をタレット生成してからＴ番号変換してＡＩ統一を行うことができる。さらに、変換した金型の機種変更に関係ない情報をその場で各個に変更することができる。
【００６０】
【発明の効果】
以上説明したように、本願発明による加工機における金型配置方法では、金型配置の初期状態を示す初期状態金型配置情報を保持しているので、いつでも容易に初期状態の金型配置に戻ることができる。また、初期状態金型配置情報による初期状態の金型配置に対して、使用金型情報の使用金型を割り付けて現行状態の金型配置を示す現行状態金型配置情報を作成して保持するので、使用者の意思に従って柔軟な変換を行うことができる。また、現行状態の金型配置に対して金型の割付を行うので、複数の使用金型の割付を次々に行うことができると共に、変換を解除して元の状態に容易に戻すことができる。
【００６１】
また、発明による加工機における金型配置方法では、使用金型情報の複数の非オートインデックス金型を、現行状態金型配置情報のオートインデックス金型に割り付けて、これを現行状態金型配置情報として次々に使用金型情報の非オートインデックス金型の割付を行うので、情報の欠落がなく各金型を変換させた金型配置による変換を行うことができる。
【００６２】
また、本願発明による加工機における金型配置方法では、非オートインデックス金型を割り付ける現行状態金型配置情報における対象オートインデックスステーション内に、割り付ける非オートインデックス金型と同形状の金型が存在する場合には、統一変換することができる。
【００６３】
さらに、本願発明による加工機における金型配置方法では、非オートインデックス金型を割り付ける現行状態金型配置情報における対象オートインデックスステーション内に、割り付ける非オートインデックス金型と同形状の金型が存在しない場合には、まず通常変換により対象非オートインデックス金型を対象オートインデックスステーションに割り付けてから、統一変換を実行するので、割り付ける非オートインデックス金型と同形状の金型が存在しなくても、非オートインデックス金型の統一変換を実行することができる。
【図面の簡単な説明】
【図１】この発明に係る加工機における金型配置方法を示すフローチャートである。
【図２】初期状態金型配置情報、使用金型情報、現行状態金型配置情報の関係を示すブロック図である。
【図３】（Ａ）は実行前における使用金型の一覧表であり、（Ｂ）は実行前における変換先の割付前の金型配置を示す一覧表である。
【図４】実行後における変換先の金型配置を示す一覧表である。
【図５】（Ａ）は実行前における使用金型の一覧表であり、（Ｂ）は実行前における変換先の割付前の金型配置を示す一覧表である。
【図６】（Ａ）は実行中における使用金型を示す一覧表であり、（Ｂ）は実行中において使用金型１本のみ割り付けた後の変換先金型配置を示す一覧表である。
【図７】実行後における変換先の金型配置を示す一覧表である。
【図８】（Ａ）は実行前における使用金型の一覧表であり、（Ｂ）は実行前における変換先の割付前の金型配置を示す一覧表である。
【図９】（Ａ）は実行途中における使用金型を示す一覧表であり、（Ｂ）は実行途中において使用金型１本のみ割り付けた後の変換先金型配置を示す一覧表である。
【図１０】実行後における変換先の金型配置を示す一覧表である。
【図１１】（Ａ）は実行前における使用金型の一覧表であり、（Ｂ）は実行前における変換先の割付前の金型配置を示す一覧表である。
【図１２】（Ａ）は実行途中において変換先金型配置のＡＩステーションに割り付けられる使用金型を示す表であり、（Ｂ）は実行途中において使用金型１本のみ割り付けた後の変換先金型配置を示す一覧表である。
【図１３】（Ａ）は実行途中において変換先金型配置のＡＩステーションに割り付けられる２本目の使用金型を示す表であり、（Ｂ）は実行途中において２本目の使用金型を割り付ける変換先金型配置を示す一覧表である。
【図１４】（Ａ）は割り付けられた２本の使用金型を示す表であり、（Ｂ）は２本の使用金型の割付実行後における変換先の金型配置を示す一覧表である。
【図１５】従来の加工機における金型配置方法を示すフローチャートである。
【図１６】（Ａ）は実行前における使用金型の一覧表であり、（Ｂ）は実行前における変換先の割付前の金型配置を示す一覧表である。
【図１７】実行後における変換先の金型配置を示す一覧表である。
【図１８】（Ａ）は実行前における使用金型の一覧表であり、（Ｂ）は実行前における変換先の割付前の金型配置を示す一覧表である。
【図１９】（Ａ）は実行中における使用金型を示す一覧表であり、（Ｂ）は実行中において使用金型１本のみ割り付けた後の変換先金型配置を示す一覧表である。
【図２０】実行後における変換先の金型配置を示す一覧表である。
【図２１】（Ａ）は実行前における使用金型の一覧表であり、（Ｂ）は実行前における変換先の割付前の金型配置を示す一覧表である。
【図２２】実行後における変換先の金型配置を示す一覧表である。
【図２３】（Ａ）は実行前における使用金型の一覧表であり、（Ｂ）は実行前における変換先の割付前の金型配置を示す一覧表である。
【図２４】（Ａ）は実行途中における使用金型の一覧表であり、（Ｂ）は１本のみ割り付けた後の変換先の金型配置を示す一覧表である。
【図２５】（Ａ）は実行中における使用金型の一覧表であり、（Ｂ）は２本目が割り付けられた後の変換先の金型配置を示す一覧表である。
【符号の説明】
１  使用金型情報
３  初期状態金型配置情報
５  現行状態金型配置情報
【図１】
0004766740.tif 000002
【図２】
0004766740.tif 000003
【図３】
0004766740.tif 000004
【図４】
0004766740.tif 000005
【図５】
0004766740.tif 000006
【図６】
0004766740.tif 000007
【図７】
0004766740.tif 000008
【図８】
0004766740.tif 000009
【図９】
0004766740.tif 000010
【図１０】
0004766740.tif 000011
【図１１】
0004766740.tif 000012
【図１２】
0004766740.tif 000013
【図１３】
0004766740.tif 000014
【図１４】
0004766740.tif 000015
【図１５】
0004766740.tif 000016
【図１６】
0004766740.tif 000017
【図１７】
0004766740.tif 000018
【図１８】
0004766740.tif 000019
【図１９】
0004766740.tif 000020
【図２０】
0004766740.tif 000021
【図２１】
0004766740.tif 000022
【図２２】
0004766740.tif 000023
【図２３】
0004766740.tif 000024
【図２４】
0004766740.tif 000025
【図２５】
0004766740.tif 000026